(57)【要約】【課題】パネルの温度が低温または高温であっても、書込みに必要な電圧を増大させることなく安定した書込み放電を発生させる。【解決手段】走査電極、維持電極およびデータ電極を有するプラズマディスプレイパネル１０と、温度センサ８１を備えパネル温度が常温か低温か高温かを判断する温度推定回路５８と、走査電極駆動回路５３と、データ電極駆動回路５２と、維持電極駆動回路５４と、画像信号処理回路５１と、各駆動回路の動作を制御するタイミング発生回路５５とを備え、パネル温度が高温のときおよび低温のときには、少なくとも輝度重みの最も大きいサブフィールドを含む所定のサブフィールドにおける書込み期間の後半において、パネル温度が常温のときよりも走査パルス電圧のパルス幅および書込みパルス電圧のパルス幅を延長する。【選択図】図１０
2007333920.tif 000002
【特許請求の範囲】
【請求項１】
走査電極および維持電極からなる表示電極対とデータ電極とを有する放電セルを複数備えたプラズマディスプレイパネルと、
前記プラズマディスプレイパネルの温度状態を検出するパネル温度判断部と、
前記放電セルで初期化放電を発生させる初期化期間と、前記走査電極には走査パルス電圧を前記データ電極には書込みパルス電圧をそれぞれ印加して前記放電セルで選択的に書込み放電を発生させる書込み期間と、輝度重みに応じた回数の維持パルス電圧を前記表示電極対に交互に印加して前記書込み期間において選択された放電セルで維持放電を発生させる維持期間とを有するサブフィールドを１フィールド期間内に複数設けて前記プラズマディスプレイパネルを駆動する駆動回路とを備え、
前記駆動回路は、前記パネル温度判断部が検出する前記プラズマディスプレイパネルの温度状態に応じて、少なくとも輝度重みの最も大きいサブフィールドを含む所定のサブフィールドにおいて前記書込み期間の走査パルス電圧のパルス幅および書込みパルス電圧のパルス幅を制御するように構成した
ことを特徴とするプラズマディスプレイ装置。
【請求項２】
前記パネル温度判断部は、前記プラズマディスプレイパネルの温度が常温か高温か低温かを判断するように構成し、
前記駆動回路は、走査パルス電圧のパルス幅および書込みパルス電圧のパルス幅を変更可能に構成するとともに、少なくとも輝度重みの最も大きいサブフィールドを含む所定のサブフィールドにおいて所定の走査電極に走査パルス電圧を印加する際に、前記パネル温度判断部が前記プラズマディスプレイパネルの温度を高温と判断したときおよび低温と判断したときには、前記パネル温度判断部が前記プラズマディスプレイパネルの温度を常温と判断したときよりも、走査パルス電圧のパルス幅および書込みパルス電圧のパルス幅を延長するように構成した
ことを特徴とする請求項１に記載のプラズマディスプレイ装置。
【請求項３】
前記所定の走査電極は、前記書込み期間の中間以降において走査パルス電圧を印加する走査電極となるように構成した
ことを特徴とする請求項２に記載のプラズマディスプレイ装置。
【請求項４】
前記パネル温度判断部は、温度センサを備え、前記温度センサが検出した温度があらかじめ定めた高温しきい値以上のときに前記プラズマディスプレイパネルの温度を高温と判断し、前記温度センサが検出した温度があらかじめ定めた低温しきい値未満のときに前記プラズマディスプレイパネルの温度を低温と判断し、前記温度センサが検出した温度が前記低温しきい値以上前記高温しきい値未満のときに前記プラズマディスプレイパネルの温度を常温と判断するように構成した
ことを特徴とする請求項２に記載のプラズマディスプレイ装置。
【請求項５】
前記駆動回路は、前記パネル温度判断部において判断される前記プラズマディスプレイパネルの温度が常温から高温に変化したとき、および常温から低温に変化したときには、１フィールド期間における維持パルスの総数を順次減少させ、その後、走査パルス電圧のパルス幅および書込みパルス電圧のパルス幅を延長するように構成した
ことを特徴とする請求項２に記載のプラズマディスプレイ装置。
【請求項６】
前記駆動回路は、前記パネル温度判断部において判断される前記プラズマディスプレイパネルの温度が高温から常温に変化したとき、および低温から常温に変化したときには、走査パルス電圧のパルス幅および書込みパルス電圧のパルス幅を短縮した後で１フィールド期間における維持パルスの総数を順次増加させるように構成した
ことを特徴とする請求項２に記載のプラズマディスプレイ装置。
【請求項７】
走査電極および維持電極からなる表示電極対とデータ電極とを有する放電セルを複数備えたプラズマディスプレイパネルを、
前記放電セルで初期化放電を発生させる初期化期間と、前記走査電極には走査パルス電圧を前記データ電極には書込みパルス電圧をそれぞれ印加して前記放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設けて駆動するプラズマディスプレイパネルの駆動方法であって、
前記プラズマディスプレイパネルの温度が常温か高温か低温かを判断し、
少なくとも輝度重みの最も大きいサブフィールドを含む所定のサブフィールドにおいて所定の走査電極に走査パルス電圧を印加する際に、前記プラズマディスプレイパネルの温度を高温と判断したときおよび低温と判断したときには、前記プラズマディスプレイパネルの温度を常温と判断したときよりも、走査パルス電圧のパルス幅および書込みパルス電圧のパルス幅を延長する
ことを特徴とするプラズマディスプレイパネルの駆動方法。
【請求項８】
前記所定の走査電極は、前記書込み期間の中間以降において走査パルス電圧を印加する走査電極とした、
ことを特徴とする請求項７に記載のプラズマディスプレイパネルの駆動方法。
【請求項９】
前記プラズマディスプレイパネルの温度が常温から高温に変化したとき、および常温から低温に変化したときには、１フィールド期間における維持パルスの総数を順次減少させ、その後、走査パルス電圧のパルス幅および書込みパルス電圧のパルス幅を延長する
ことを特徴とする請求項７に記載のプラズマディスプレイパネルの駆動方法。
【請求項１０】
前記プラズマディスプレイパネルの温度が高温から常温に変化したとき、および低温から常温に変化したときには、走査パルス電圧のパルス幅および書込みパルス電圧のパルス幅を短縮した後で１フィールド期間における維持パルスの総数を順次増加させる
ことを特徴とする請求項７に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、例えば分圧比で約５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。
【０００７】
書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００８】
このサブフィールド法では、例えば、複数のサブフィールドのうち、１つのサブフィールドの初期化期間においては全ての放電セルを放電させる全セル初期化動作を行い、他のサブフィールドの初期化期間においては維持放電を行った放電セルに対して選択的に初期化放電を行うことで、階調表示に関係しない発光を極力減らしコントラスト比を向上させることが可能である。
【０００９】
一方、プラズマディスプレイ装置では、画像をより明るく表示する技術についても様々な提案がなされている。
【００１０】
画像を明るく表示する技術の一つとして、維持期間における維持パルスのパルス数を制御する技術が開示されている（例えば、特許文献１参照）。この技術では、維持期間に生じる発光の回数が多いほど表示セルは明るさを増して見えるという原理を応用する。例えば、１フィールドを第１サブフィールドから第８サブフィールド（以下、第１サブフィールドを「第１ＳＦ」、第２サブフィールドを「第２ＳＦ」というように略記する）の８つのサブフィールドで構成し、第１ＳＦの維持パルス数を１、第２ＳＦの維持パルス数を２、以下第３ＳＦから第８ＳＦまでの維持パルス数をそれぞれ４、８、１６、３２、６４、１２８とする。そして、第１ＳＦから第８ＳＦまでの維持パルス数をそれぞれ２倍の２、４、８、１６、３２、６４、１２８、２５６にした２倍モード、第１ＳＦから第８ＳＦまでの維持パルス数をそれぞれ３倍にした３倍モード、同様に４倍にした４倍モードと、サブフィールドの維持パルス数を１倍から２倍、３倍、４倍と変化させる（以下、この倍率のことを「輝度倍率」と略記する）ことによって維持期間における発光の回数を制御し、画面の明るさを調整することができる。例えば、輝度倍率を上げることで、暗い画像をより明るく表示することが可能となる。
【００１１】
また、維持期間における維持パルスのパルス数を整数倍のみならず小数点以下の数値の倍数についても行えるようにし、明るさの変化をより滑らかにした技術も開示されている（例えば、特許文献２参照）。
【特許文献１】特開平８−２８６６３６号公報
【特許文献２】特開平１１−２３１８３３号公報
【発明の開示】
【発明が解決しようとする課題】
【００１２】
パネルにおける放電特性はパネルの温度に依存して変化する。パネルの温度が低温になると、放電を発生させるための電圧を放電セルに印加してから実際に放電が発生するまでの時間（以下、「放電遅れ」と記す）や、各放電セル毎に放電遅れが異なることによって生じる放電の発生のばらつき（以下、「放電ばらつき」と記す）が大きくなるため、例えば書込みパルス電圧を印加している期間内に書込み放電が発生しない等、放電が不安定になりやすい。また、パネルの温度が高温になると、放電セルにおける暗電流（放電とは無関係に放電セル内に生じる電流のこと）が増加して壁電荷の消失（以下、「電荷抜け」と記す）が増加するため、放電セルに印加される電圧が相対的に降下し、放電が不安定になりやすい。
【００１３】
一方、近年においては、更なるパネルの高精細化、大画面化が進められている。パネルの高精細化のために放電セルを微細化すると非発光領域の割合が増えて単位面積あたりの発光輝度が低下する傾向があるため、上述した維持パルス数を増加して輝度を向上させる技術は、高精細化されたパネルにおいて大きな効果を得ることができる。しかし、高精細化、大画面化されたパネルでは、パネル内に形成される電極の数が増えるため、書込みに要する時間が増大しないように書込みパルス電圧のパルス幅を短縮しなければならなかった。
【００１４】
初期化期間において形成された壁電荷は時間の経過とともに徐々に失われていくため、書込み期間において後で書込みされる放電セルほど壁電荷は失われやすく、書込み放電が不安定になりやすい。さらに、高精細化、大画面化されたパネルにおいては書込みパルス電圧のパルス幅を短縮により、放電遅れや放電ばらつきに対する余裕が失われ、書込み放電がさらに不安定になる傾向にあった。
【００１５】
これらの現象は、いずれも放電セルに印加する電圧を大きくすれば改善することができる。そのため、プラズマディスプレイ装置を設計する際には、まず温度に関する動作補償範囲を決め、その動作補償範囲内において想定されるパネルの最低温度および最高温度において安定した放電を発生できるように放電セルへの印加電圧を設定していた。
【００１６】
しかしながら、上述したような高精細化、大画面化されたパネルでは、安定した放電を発生させるために必要な印加電圧がさらに大きくなるため、定格値の大きい高価な部品が必要となったり、消費電力が増大するといった問題が生じていた。
【００１７】
本発明はこれらの課題に鑑みなされたものであり、パネルの温度が低温または高温であっても、書込みに必要な電圧を増大させることなく安定した書込み放電を発生させることができるプラズマディスプレイ装置およびパネルの駆動方法を提供することを目的とする。
【課題を解決するための手段】
【００１８】
本発明のプラズマディスプレイ装置は、走査電極および維持電極からなる表示電極対とデータ電極とを有する放電セルを複数備えたパネルと、パネルの温度状態を検出するパネル温度判断部と、放電セルで初期化放電を発生させる初期化期間と、走査電極には走査パルス電圧をデータ電極には書込みパルス電圧をそれぞれ印加して放電セルで選択的に書込み放電を発生させる書込み期間と、輝度重みに応じた回数の維持パルス電圧を表示電極対に交互に印加して書込み期間において選択された放電セルで維持放電を発生させる維持期間とを有するサブフィールドを１フィールド期間内に複数設けてパネルを駆動する駆動回路とを備え、駆動回路は、パネル温度判断部が検出するパネルの温度状態に応じて、少なくとも輝度重みの最も大きいサブフィールドを含む所定のサブフィールドにおいて書込み期間の走査パルス電圧のパルス幅および書込みパルス電圧のパルス幅を制御するように構成したことを特徴とする。これにより、パネルの温度に応じた書込みの制御を行い、書込みに必要な電圧を増大させることなく安定した書込み放電を発生させることができる。
【００１９】
また、本発明のプラズマディスプレイ装置におけるパネル温度判断部は、パネルの温度が常温か高温か低温かを判断するように構成し、駆動回路は、走査パルス電圧のパルス幅および書込みパルス電圧のパルス幅を変更可能に構成するとともに、少なくとも輝度重みの最も大きいサブフィールドを含む所定のサブフィールドにおいて所定の走査電極に走査パルス電圧を印加する際に、パネル温度判断部がパネルの温度を高温と判断したときおよび低温と判断したときには、パネル温度判断部がパネルの温度を常温と判断したときよりも、走査パルス電圧のパルス幅および書込みパルス電圧のパルス幅を延長するように構成したことを特徴とする。これにより、パネルの温度が低温または高温であっても、書込みに必要な電圧を増大させることなく安定した書込み放電を発生させることができる。
【００２０】
また、本発明のプラズマディスプレイ装置においては、所定の走査電極は、書込み期間の中間以降において走査パルス電圧を印加する走査電極となるように構成することが望ましい。これにより、書込みに必要な電圧を低減する効果をさらに高めることができる。
【００２１】
また、本発明のプラズマディスプレイ装置におけるパネル温度判断部は、温度センサを備え、温度センサが検出した温度があらかじめ定めた高温しきい値以上のときにパネルの温度を高温と判断し、温度センサが検出した温度があらかじめ定めた低温しきい値未満のときにパネルの温度を低温と判断し、温度センサが検出した温度が低温しきい値以上高温しきい値未満のときにパネルの温度を常温と判断するように構成してもよい。
【００２２】
また、本発明のプラズマディスプレイ装置における駆動回路は、パネル温度判断部において判断されるパネルの温度が常温から高温に変化したとき、および常温から低温に変化したときには、１フィールド期間における維持パルスの総数を順次減少させ、その後、走査パルス電圧のパルス幅および書込みパルス電圧のパルス幅を延長するように構成することが望ましい。これにより、サブフィールド数を変えることなく走査パルス電圧のパルス幅および書込みパルス電圧のパルス幅を延長することができ、さらに維持パルス数の変化による輝度の変化を目立たなくすることができる。
【００２３】
また、本発明のプラズマディスプレイ装置における駆動回路は、パネル温度判断部において判断されるパネルの温度が高温から常温に変化したとき、および低温から常温に変化したときには、走査パルス電圧のパルス幅および書込みパルス電圧のパルス幅を短縮した後で１フィールド期間における維持パルスの総数を順次増加させるように構成することが望ましい。
【００２４】
本発明のパネルの駆動方法は、走査電極および維持電極からなる表示電極対とデータ電極とを有する放電セルを複数備えたパネルを、放電セルで初期化放電を発生させる初期化期間と、走査電極には走査パルス電圧をデータ電極には書込みパルス電圧をそれぞれ印加して放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設けて駆動するパネルの駆動方法であって、パネルの温度が常温か高温か低温かを判断し、少なくとも輝度重みの最も大きいサブフィールドを含む所定のサブフィールドにおいて所定の走査電極に走査パルス電圧を印加する際に、パネルの温度を高温と判断したときおよび低温と判断したときには、パネルの温度を常温と判断したときよりも、走査パルス電圧のパルス幅および書込みパルス電圧のパルス幅を延長することを特徴とする。この方法により、パネルの温度が低温または高温であっても、書込みに必要な電圧を増大させることなく安定した書込み放電を発生させることができる。
【００２５】
また、本発明のパネルの駆動方法では、所定の走査電極は、書込み期間の中間以降において走査パルス電圧を印加する走査電極とすることが望ましい。これにより、書込みに必要な電圧を低減する効果をさらに高めることができる。
【００２６】
また、本発明のパネルの駆動方法では、パネルの温度が常温から高温に変化したとき、および常温から低温に変化したときには、１フィールド期間における維持パルスの総数を順次減少させ、その後、走査パルス電圧のパルス幅および書込みパルス電圧のパルス幅を延長するようにしてもよい。これにより、サブフィールド数を変えることなく走査パルス電圧のパルス幅および書込みパルス電圧のパルス幅を延長することができ、さらに維持パルス数の変化による輝度の変化を目立たなくすることができる。
【００２７】
また、本発明のパネルの駆動方法では、パネルの温度が高温から常温に変化したとき、および低温から常温に変化したときには、走査パルス電圧のパルス幅および書込みパルス電圧のパルス幅を短縮した後で１フィールド期間における維持パルスの総数を順次増加させるようにすることが望ましい。
【発明の効果】
【００２８】
本発明によれば、パネルの温度が低温または高温であっても、書込みに必要な電圧を増大させることなく安定した書込み放電を発生させることができるプラズマディスプレイ装置およびパネルの駆動方法を提供することが可能となる。
【発明を実施するための最良の形態】
【００２９】
以下、本発明の実施の形態におけるプラズマディスプレイ装置について、図面を用いて説明する。
【００３０】
（実施の形態）
図１は、本発明の実施の形態におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３１】
これら前面板２１と背面板３１とは、微小な放電空間をはさんで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００３２】
なお、パネルの構造は上述したものに限られるわけではなく、例えばストライプ状の隔壁を備えたものであってもよい。
【００３３】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００３４】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは、例えば、初期化期間、書込み期間および維持期間を有する。
【００３５】
初期化期間では初期化放電を発生し、続く書込み放電に必要な壁電荷を各電極上に形成する。加えて、放電遅れを小さくし書込み放電を安定して発生させるためのプライミング（放電のための起爆剤＝励起粒子）を発生させるという働きを持つ。このときの初期化動作には、全ての放電セルで初期化放電を発生させる初期化動作（以下、「全セル初期化動作」と略記する）と、１つ前のサブフィールドで維持放電を行った放電セルで初期化放電を発生させる初期化動作（以下、「選択初期化動作」と略記する）とがある。
【００３６】
書込み期間では、後に続く維持期間において発光させるべき放電セルで選択的に書込み放電を発生し壁電荷を形成する。そして維持期間では、輝度重みに比例した数の維持パルスを表示電極対２８に交互に印加して、書込み放電を発生した放電セルで維持放電を発生させて発光させる。このときの比例定数を輝度倍率と呼ぶ。なお、サブフィールド構成の詳細については後述することとし、ここではサブフィールドにおける駆動電圧波形とその動作について説明する。
【００３７】
図３は、本発明の実施の形態におけるパネル１０の各電極に印加する駆動電圧波形図である。図３には、全セル初期化動作を行うサブフィールドと選択初期化動作を行うサブフィールドとを示している。
【００３８】
まず、全セル初期化動作を行うサブフィールドについて説明する。
【００３９】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。
【００４０】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００４１】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００４２】
続く書込み期間では、維持電極ＳＵ１〜ＳＵｎに電圧Ｖｅ２を、走査電極ＳＣ１〜ＳＣｎに電圧Ｖｃを印加する。
【００４３】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４４】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４５】
なお、走査パルス電圧Ｖａのパルス幅および書込みパルス電圧Ｖｄのパルス幅は実質的に等しく、以下、それらのパルス幅を総称して「書込み周期」と記す。
【００４６】
また、本実施の形態では、書込み期間の後半でこの書込み周期を延長する制御を行っている。図４は、本発明の実施の形態における書込み期間の詳細を示した波形図である。図４に示すように、本実施の形態では、第１行目から第ｎ／２行目までの書込み周期をＴｗ１とし、第ｎ／２＋１行目から第ｎ行目までをＴｗ１よりも書込み周期を延長したＴｗ２としている。したがって、書込み期間の前半は（Ｔｗ１×ｎ／２）μｓｅｃとなり、書込み期間の後半は（Ｔｗ２×ｎ／２）μｓｅｃとなる。なお、本実施の形態では、Ｔｗ１を１．３μｓｅｃ、Ｔｗ２を１．５μｓｅｃ、ｎを７６８としており、書込み期間の前半は約４９９μｓｅｃ、書込み期間の後半は約５７６μｓｅｃである。ただし、本実施の形態は何らこれらの数値に限定されるものではなく、パネルの特性やプラズマディスプレイ装置の仕様等に合わせて適宜最適な値に設定することが望ましい。
【００４７】
そして、本実施の形態では、この書込み周期を延長する制御を、サブフィールドの輝度重みに応じて行っており、輝度重みの最も大きいサブフィールドを含む第７ＳＦ〜第１０ＳＦにおいてのみこの書込み周期を延長する。さらに、本実施の形態においては、それらの制御をパネルの温度にもとづいて行っており、パネルの温度が低温または高温のときにのみこの書込み周期の延長を行う。すなわち、パネルの温度が低温または高温のときに、第７ＳＦ〜第１０ＳＦにおいて書込み期間の後半の書込み周期を書込み期間の前半の書込み周期よりも延長する。これによりパネルの温度が低温または高温であっても、書込みに必要な電圧を増大させることなく安定した書込み放電を発生させている。なお、これらの動作の詳細については後述する。
【００４８】
続く維持期間では、まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５０】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２８の電極間に電位差を与えることにより、書込み期間において書込み放電を起こした放電セルで維持放電が継続して行われる。
【００５１】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００５２】
このように、最後の維持放電、すなわち消去放電を発生させるための電圧Ｖｓを走査電極ＳＣ１〜ＳＣｎに印加した後、表示電極対２８の電極間の電位差を緩和するための電圧Ｖｅ１を維持電極ＳＵ１〜ＳＵｎに印加する。こうして維持期間における維持動作が終了する。
【００５３】
次に、選択初期化動作を行うサブフィールドの動作について説明する。
【００５４】
選択初期化期間では、維持電極ＳＵ１〜ＳＵｎに電圧Ｖｅ１を、データ電極Ｄ１〜Ｄｍに０（Ｖ）をそれぞれ印加したまま、走査電極ＳＣ１〜ＳＣｎに電圧Ｖｉ３’から電圧Ｖｉ４に向かって緩やかに下降する傾斜波形電圧を印加する。
【００５５】
すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００５６】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００５７】
続く書込み期間の動作は全セル初期化動作を行うサブフィールドの書込み期間の動作と同様であるため説明を省略する。続く維持期間の動作も維持パルスの数を除いて同様である。
【００５８】
次に、サブフィールド構成について説明する。図５は、本発明の実施の形態におけるサブフィールド構成を示す図である。図５はサブフィールド法における１フィールド間の駆動波形を略式に記したもので、それぞれのサブフィールドの駆動波形は図３の駆動波形と同等なものである。
【００５９】
本実施の形態においては、１フィールドを１０のサブフィールド（第１ＳＦ、第２ＳＦ、・・・、第１０ＳＦ）に分割し、各サブフィールドはそれぞれ（１、２、３、６、１２、２２、３７、４５、５７、７１）の輝度重みを持つ。また各サブフィールドの維持期間においては、それぞれのサブフィールドの輝度重みに所定の輝度倍率を乗じた数の維持パルスが表示電極対２８のそれぞれに印加される。そして、サブフィールドのそれぞれは、初期化期間に全セル初期化動作を行うサブフィールド（以下、「全セル初期化サブフィールド」と略記する）か、初期化期間に選択初期化動作を行うサブフィールド（以下、「選択初期化サブフィールド」と略記する）かのどちらかであり、本実施の形態では、第１ＳＦを全セル初期化サブフィールドとし、第２ＳＦ〜第１０ＳＦを選択初期化サブフィールドとする。しかし、本実施の形態は、サブフィールド数や各サブフィールドの輝度重みが上記の値に限定されるものではなく、また、画像信号等にもとづいてサブフィールド構成を切換える構成であってもよい。
【００６０】
そして、上述したように、本実施の形態では、書込み期間の後半で書込み周期を延長する制御をサブフィールドの輝度重みに応じて行い、輝度重みの最も大きい第１０ＳＦを含む第７ＳＦ〜第１０ＳＦにおける書込み期間の後半において、書込み周期を延長する。
【００６１】
次に、本実施の形態におけるパネルの温度にもとづく書込み周期を延長する制御の詳細について説明する。なお、本実施の形態では、後述するように、温度センサが検出するパネル１０周辺の温度、すなわち筐体内部の温度と所定のしきい値との比較によってパネル１０の温度（以下、「パネル温度」と表記する）を推定している。
【００６２】
図６は、本発明の実施の形態におけるパネル温度と書込み周期の関係を示す図である。この図に示すように、パネル温度が常温のとき、すなわちパネル温度が低温しきい値（３０℃）以上高温しきい値（６０℃）未満のときには、全てのサブフィールド（第１ＳＦ〜第１０ＳＦ）における全ての放電セル（１行目〜ｎ行目）において、書込み周期を１．３μｓｅｃとする。また、パネル温度が低温のとき、すなわちパネル温度が低温しきい値（３０℃）未満のとき、およびパネル温度が高温のとき、すなわちパネル温度が高温しきい値（６０℃）以上のときには、第１ＳＦ〜第６ＳＦにおける全ての放電セル（１行目〜ｎ行目）と、第７ＳＦ〜第１０ＳＦにおける１行目〜ｎ／２行目の放電セルとにおいて書込み周期を１．３μｓｅｃとし、第７ＳＦ〜第１０ＳＦにおける（ｎ／２＋１）行目〜ｎ行目の放電セルにおいて書込み周期を１．５μｓｅｃする。
【００６３】
このように、本実施の形態では、サブフィールド毎の輝度重みに応じて、輝度重みの最も大きい第１０ＳＦを含む第７ＳＦ〜第１０ＳＦにおける書込み期間の後半で書込み周期を延長する制御を行う。また、それ以外の書込み期間、すなわち、第１ＳＦ〜第６ＳＦの書込み期間および第７ＳＦ〜第１０ＳＦの書込み期間の前半では、書込み周期の延長を行わないようにする。さらに、それらの制御をパネルの温度にもとづいて行い、パネルの温度が低温または高温のときに上述した書込み周期の延長を行う。これにより、パネルの温度が低温または高温であっても、書込みに必要な電圧を増大させることなく安定した書込み放電を発生させることを可能にしている。
【００６４】
次に、本実施の形態における制御方法により書込みに必要な電圧を増大させることなく安定した書込み放電を発生させることができる理由について説明する。本発明者は、正常な書込み放電を発生させるために必要な走査パルス電圧Ｖａが書込み周期でどのように変化するかを調べる実験を行った。図７は、書込み周期を延長する放電セルの行を変化させた場合の、書込み周期と走査パルス電圧との関係を示す図であり、縦軸は走査パルス電圧（振幅）を示し、横軸は延長した書込み周期を示している。
【００６５】
まず、１行目からｎ行目までの全ての放電セルに対して書込み周期を延長した場合について説明する。図７の一番上のグラフに示すように、書込み周期を１．３μｓｅｃから１．３５μｓｅｃに延長すると、走査パルス電圧Ｖａは一旦減少するが、書込み周期を１．３５μｓｅｃからさらに１．５５μｓｅｃに延長すると走査パルス電圧Ｖａは逆に上昇することがわかった。
【００６６】
これは、次のような理由によるものと思われる。書込み周期を延長すると書込み放電のための電圧印加期間が長くなるため、放電遅れの影響を吸収することができ、走査パルス電圧Ｖａが一旦減少する。しかし、書込み周期をさらに延長すると、その分、各行への書込みが行われる度に放電セルに書込みパルス電圧Ｖｄが印加される時間が長くなり、暗電流が発生する時間も長くなる。そのため、書込み期間の後半で書込みがなされる放電セルでは、暗電流が増加し、壁電荷の電荷抜けが生じる。そして、電荷抜けが生じた放電セルで正常な書込み放電を発生させるために、走査パルス電圧Ｖａが上昇すると考えることができる。図７に示した実験では、書込み周期を０．０５μｓｅｃ以上延長させてしまうと、放電遅れの影響を吸収することによる走査パルス電圧Ｖａの低減効果よりも、電荷抜けによる走査パルス電圧Ｖａの上昇が上回ってしまったためにこのような結果が得られたものと考えられる。
【００６７】
次に、書込み周期の延長を開始する行を１行目、（ｎ／６＋１）行目、（ｎ／３＋１）行目、（ｎ／２＋１）行目と変更した場合に、正常な書込み放電を発生させるために必要な走査パルス電圧Ｖａがどのように変化するかを調べた。その結果、例えば図７の上から２番目のグラフに示すように、（ｎ／６＋１）行目からｎ行目までの放電セルの書込み周期を延長した場合には、書込み周期を１．４５μｓｅｃに延長することで走査パルス電圧Ｖａをおよそ１０６（Ｖ）に低減することができた。また、（ｎ／３＋１）行目からｎ行目までの放電セルの書込み周期を延長した場合には、書込み周期を１．５μｓｅｃに延長することで走査パルス電圧Ｖａをおよそ１０４（Ｖ）まで低減することができた。さらに、（ｎ／２＋１）行目からｎ行目までの放電セルの書込み周期を延長した場合には、書込み周期を１．５５μｓｅｃに延長することで走査パルス電圧Ｖａをおよそ１０３（Ｖ）まで低減することができた。
【００６８】
このように、書込み期間の前半では書込み周期を延長せず、書込み期間の後半で書込み周期の延長を行うことで、書込み期間の延長時間を抑えるとともに、正常な書込み放電を発生させるために必要な走査パルス電圧Ｖａを低減することができるという結果が実験により得られた。
【００６９】
なお、この実験は表示電極対数７６８の４２インチのパネルを使用して行っており、上述した数値はそのパネルにもとづくものであって、本実施の形態は何らこれらの数値に限定されるものではない。
【００７０】
このように、この実験からは、書込み周期の延長を開始する行と書込み周期の適切な延長時間とには関係があり、書込み周期を延長する放電セルを制限して書込み周期の延長を開始する行を遅くすることで、正常な書込み放電を発生させるために必要な走査パルス電圧を低減できることがわかった。
【００７１】
次に、本実施の形態において、書込み周期の延長を行うサブフィールドを制限した理由について説明する。比較的輝度重みが大きいサブフィールドでは維持放電の回数も多くなるため、維持放電において形成されるプライミングも比較的多くなる。プライミングの増加は暗電流の増加を招くため、書込み期間の後半で書込みがなされる放電セルでは、暗電流がさらに増加してしまい、その結果、壁電荷の電荷抜けが増えて書込み放電が不安定になってしまう。そのために、直前のサブフィールドが輝度重みの大きいサブフィールドの場合、続くサブフィールドでは書込み期間の後半で書込み周期を延長することが望ましい。逆に、直前のサブフィールドが比較的輝度重みが小さく維持期間が短いサブフィールドであれば、プライミングの発生量は比較的少ないため、続くサブフィールドでは壁電荷の電荷抜けも少なく、放電遅れも比較的少ないと考えられる。したがって、輝度重みの小さいサブフィールドに続くサブフィールドでは書込み周期の延長を行わなくてもよい。
【００７２】
これらの理由から、本実施の形態においては、少なくとも輝度重みの最も大きいサブフィールドを含む所定のサブフィールドにおいて、本実施の形態における好ましい例としては輝度重みの大きい方のサブフィールドから順に４つのサブフィールド、すなわち第７ＳＦ〜第１０ＳＦにおいて、書込み期間の後半で書込み周期を延長する制御を行う。
【００７３】
そして、本実施の形態においては、パネルの温度が低温または高温のときに上述した書込み周期の延長を行う。次に、このような制御にした理由について説明する。
【００７４】
放電特性はパネル温度に依存して変化し、放電遅れ、暗電流といった放電を不安定にする要素もパネル温度に依存して変化する。そこで、本発明者は、正常な書込み放電を発生させるために必要な走査パルス電圧Ｖａがパネル温度でどのように変化するかを調べる実験を行った。図８は、本発明の実施の形態におけるパネル温度と走査パルス電圧との関係を示す図である。図８において、縦軸は走査パルス電圧Ｖａを表し、横軸はパネル温度を表す。この実験では、パネル温度が４０℃付近にあるときに、正常な書込み放電を発生させるために必要な走査パルス電圧Ｖａは最も小さくなった。そして、パネル温度がその温度、すなわち４０℃より低くなると必要な走査パルス電圧Ｖａは上昇し、また、パネル温度がその温度より高くなっても必要な走査パルス電圧Ｖａは上昇した。これは、次のような理由によるものと思われる。
【００７５】
パネル温度が低温になると、プライミングまたは初期電子の減少に起因する放電遅れが大きくなると考えられる。一方、パネル温度が高温になると、プライミングや初期電子は多くなると考えられるが、暗電流も増え、電荷抜けが増加してしまう。これにより、電荷抜けに起因する放電遅れが大きくなる。いずれの場合も走査パルス電圧Ｖａを大きくすることで放電が安定するため、パネル温度が低温、あるいは高温のいずれの場合にも、必要な走査パルス電圧Ｖａは大きくなると考えられる。
【００７６】
なお、この実験には上述の実験に用いたパネルと同様のパネルを使用しており、上述した温度はそのパネルにもとづくものであって、本実施の形態は何らこれらの数値に限定されるものではない。
【００７７】
そして、図７を用いて説明したように、書込み周期を延長することで正常な書込み放電を発生させるために必要な走査パルス電圧Ｖａを低減することが可能である。したがって、これらのことから、本実施の形態では、パネルの温度が低温または高温のときに、第７ＳＦ〜第１０ＳＦにおいて書込み期間の後半の書込み周期を書込み期間の前半の書込み周期よりも延長する。これによりパネルの温度が低温または高温であっても、書込みに必要な電圧を増大させることなく安定した書込み放電の発生を実現している。
【００７８】
また、本実施の形態においては、書込み周期の延長による書込み期間の延長時間を、輝度倍率を下げて維持期間を短縮することで補っている。これによりサブフィールド数を変えることなく書込み周期の延長を実現しているが、このとき、急激な明るさの変化が発生しないように徐々に輝度倍率を変化させている。この様子を図面を用いて説明する。
【００７９】
図９は、本発明の実施の形態における輝度倍率の制御の様子を示した概略図である。図９において、縦軸は輝度倍率を表し、横軸は時間を表す。また、図９（ａ）は書込み周期を延長するときの動作を示した図であり、図９（ｂ）は書込み周期を通常に戻すときの動作を示した図である。図９（ａ）に示すように、パネル温度が常温のときには、例えば輝度倍率を４倍にして通常の駆動を行う。そして、パネル温度が低温しきい値以上から低温しきい値未満になったと判断されたとき、あるいはパネル温度が高温しきい値未満から高温しきい値以上になったと判断されたときには、すぐに書込み周期を延長するのではなく、まずその直後の時刻ｔ１から輝度倍率変更期間後の時刻ｔ２までの間で輝度倍率を４倍から３倍へと徐々に下げていく。そして、輝度倍率が３倍になった時刻ｔ２以降で速やかに書込み周期を１．３μｓｅｃから１．５μｓｅｃに延長する。逆に、パネル温度が低温しきい値未満から低温しきい値以上になったと判断されたとき、あるいはパネル温度が高温しきい値以上から高温しきい値未満になったと判断されたときには、図９（ｂ）に示すように、その直後の時刻ｔ３で書込み周期を１．５μｓｅｃから１．３μｓｅｃに短縮し、時刻ｔ３から輝度倍率変更期間後の時刻ｔ４までの間で輝度倍率を３倍から４倍へと徐々に上げていく。こうして、書込み周期の延長および短縮によって輝度倍率を切換える際に、急激な明るさの変化が発生しないようにしている。
【００８０】
図１０は、本発明の実施の形態におけるパネルを駆動するための駆動回路の回路ブロック図である。プラズマディスプレイ装置１は、パネル１０、画像信号処理回路５１、データ電極駆動回路５２、走査電極駆動回路５３、維持電極駆動回路５４、タイミング発生回路５５、パネル温度判断部である温度推定回路５８および各回路ブロックに必要な電源を供給する電源回路（図示せず）を備えている。
【００８１】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００８２】
温度推定回路５８は、温度を検出するために用いられる熱電対等の一般に知られた素子からなる温度センサ８１を有し、温度センサ８１で検出されたパネル１０周辺の温度、すなわち筐体内部の温度からパネル１０のパネル温度を算出する。パネル温度の算出方法としては、例えば、温度センサ８１が検出した温度にあらかじめ設定した補正値を加算する方法を用いることができる。そして、算出したパネル温度をあらかじめ定めた高温しきい値および低温しきい値と比較してパネル温度が常温か高温か低温かを判断し、その判断の結果が切換わったときにそれを表す信号をタイミング発生回路５５に出力する。具体的には、パネル温度が常温から高温になったと判断したとき、すなわちパネル温度が高温しきい値未満から高温しきい値以上になったときと、パネル温度が高温から常温になったと判断したとき、すなわちパネル温度が高温しきい値以上から高温しきい値未満になったときと、パネル温度が常温から低温になったと判断したとき、すなわちパネル温度が低温しきい値以上から低温しきい値未満になったときと、パネル温度が常温から低温になったと判断したとき、すなわちパネル温度が低温しきい値未満から低温しきい値以上になったときとに、それぞれ判断の結果が切換ったことを示す信号をタイミング発生回路５５に出力する。
【００８３】
なお、本実施の形態では、高温しきい値を６０℃、低温しきい値を３０℃に設定しているが、何らこれらの数値に限定されるものではなく、プラズマディスプレイ装置の仕様、パネルの特性、駆動回路の特性等にもとづいて適宜最適な値に設定することが望ましい。
【００８４】
タイミング発生回路５５は水平同期信号Ｈ、垂直同期信号Ｖおよび温度推定回路５８が算出したパネル温度をもとにして各回路ブロックの動作を制御する各種のタイミング信号を発生し、それぞれの回路ブロックへ供給する。そして、上述したように、本実施の形態においては、書込み期間において走査電極ＳＣ１〜ＳＣｎに印加する走査パルス電圧のパルス幅およびデータ電極Ｄ１〜Ｄｍに印加する書込みパルス電圧のパルス幅を、パネル温度にもとづいて制御しており、それに応じたタイミング信号を走査電極駆動回路５３およびデータ電極駆動回路５２に出力する。これにより、書込み動作を安定させる制御を行う。
【００８５】
走査電極駆動回路５３は、書込み期間において走査電極ＳＣ１〜ＳＣｎに印加する走査パルス電圧波形を発生するための走査パルス発生回路４００を有し、タイミング信号にもとづいて各走査電極ＳＣ１〜ＳＣｎをそれぞれ駆動する。維持電極駆動回路５４は、タイミング信号にもとづいて維持電極ＳＵ１〜ＳＵｎを駆動する。
【００８６】
次に、走査電極駆動回路５３の詳細とその動作について説明する。図１１は、本発明の実施の形態における走査電極駆動回路５３の回路図である。走査電極駆動回路５３は、維持パルスを発生させる維持パルス発生回路１００、初期化波形を発生させる初期化波形発生回路３００、走査パルスを発生させる走査パルス発生回路４００を備えている。
【００８７】
維持パルス発生回路１００は、走査電極２２を駆動するときの電力を回収して再利用するための電力回収回路１１０と、走査電極２２を電圧Ｖｓにクランプするためのスイッチング素子ＳＷ１と、走査電極２２を０（Ｖ）にクランプするためのスイッチング素子ＳＷ２とを有し、維持パルス電圧Ｖｓを発生させる。
【００８８】
初期化波形発生回路３００は、ミラー積分回路３１０、３２０を備え、上述した初期化波形を発生させる。ミラー積分回路３１０は、ＦＥＴ、コンデンサ、抵抗等を有し、電圧Ｖｒに依存した電圧Ｖｉ２までランプ状に緩やかに上昇する傾斜波形電圧を発生する。ミラー積分回路３２０は、ＦＥＴ、コンデンサ、抵抗等を有し、負の電圧Ｖａに依存した電圧Ｖｉ４までランプ状に緩やかに低下する傾斜波形電圧を発生する。
【００８９】
走査パルス発生回路４００は、スイッチング素子Ｓ３１、Ｓ３２と、ＳｃａｎＩＣと、制御回路４０１と、逆流防止用のダイオードＤ３１と、コンデンサＣ３１とを備え、主通電ライン（維持パルス発生回路１００、初期化波形発生回路３００、走査パルス発生回路４００が共通して接続された通電ライン）に印加された電圧と、主通電ラインの電圧に電圧Ｖｓｃｎを重畳した電圧とのいずれか一方を選択して走査電極２２に印加する。例えば、書込み期間では、主通電ラインの電圧を負の電圧Ｖａに維持し、ＳｃａｎＩＣに入力される負の電圧Ｖａと、負の電圧Ｖａに電圧Ｖｓｃｎを重畳した電圧Ｖｃとを切換えて出力することで、上述した負の走査パルス電圧Ｖａを発生させる。そして、この切換えの時間を制御することで走査パルス電圧Ｖａのパルス幅を変更することができる。
【００９０】
なお、走査パルス発生回路４００は、初期化期間では初期化波形発生回路３００の電圧波形を、維持期間では維持パルス発生回路１００の電圧波形をそのまま出力する。また、上述したスイッチング素子Ｓ３１、Ｓ３２およびＳｃａｎＩＣはスイッチング動作を行う一般に知られたＭＯＳＦＥＴ等の素子からなり、タイミング発生回路５５から出力されるタイミング信号によって制御される制御回路４０１からの制御信号にもとづき切換えが制御される。
【００９１】
なお、図示はしていないが、維持電極駆動回路５４の維持パルス発生回路は維持パルス発生回路１００と同様の構成であり、維持電極２３を駆動するときの電力を回収して再利用するための電力回収回路と、維持電極２３を電圧Ｖｓにクランプするためのスイッチング素子と、維持電極２３を０（Ｖ）にクランプするためのスイッチング素子とを有し、維持パルス電圧Ｖｓを発生させる。
【００９２】
図１２は、本発明の実施の形態におけるデータ電極駆動回路５２の回路図である。データ電極駆動回路５２は、スイッチング素子Ｑ１Ｄ１〜Ｑ１Ｄｍおよびスイッチング素子Ｑ２Ｄ１〜Ｑ２Ｄｍを有している。そして、スイッチング素子Ｑ１Ｄ１〜Ｑ１Ｄｍを介して各データ電極３２をそれぞれ独立して電圧Ｖｄにクランプする。また、スイッチング素子Ｑ２Ｄ１〜Ｑ２Ｄｍを介して各データ電極３２をそれぞれ独立して接地し、０（Ｖ）にクランプする。このようにしてデータ電極駆動回路５２はデータ電極３２をそれぞれ独立に駆動し、データ電極３２に正の書込みパルス電圧Ｖｄを印加する。そして、このスイッチング素子Ｑ１Ｄ１〜Ｑ１Ｄｍおよびスイッチング素子Ｑ２Ｄ１〜Ｑ２Ｄｍの切換えの時間を制御することで書込みパルス電圧Ｖｄのパルス幅を変更することができる。
【００９３】
なお、本実施の形態では、温度センサ８１が検出した温度にあらかじめ設定した補正値を加算し、それをパネル温度として高温しきい値および低温しきい値と比較する構成を説明したが、何らこの構成に限定されるものではない。図１３は、本発明の実施の形態におけるパネル温度推定方法の他の例を示した図である。例えば、図面に示したように、温度センサ８１で検出した温度に、高温補正値を加算した温度を最高推定温度、低温補正値を減算した温度を最低推定温度とし、最高推定温度と高温しきい値との比較、および最低推定温度と低温しきい値との比較を行い、最高推定温度が高温しきい値以上になったときを高温、最低推定温度が低温しきい値未満になったときを低温、最高推定温度が高温しきい値未満であって最低推定温度が低温しきい値以上になったときを常温と判断する構成としてもよい。あるいは、プラズマディスプレイ装置への通電時間やパネルに表示している絵柄に応じてそれらの補正値を変える構成であってもよい。
【００９４】
なお、本実施の形態では、高温しきい値と低温しきい値とをそれぞれ１つずつ設定した例を説明したが、何らこの構成に限定されるものではない。図１４は、本発明の実施の形態におけるパネル温度判定方法の他の例を示した図である。例えば、図面に示したように、高温しきい値と低温しきい値とそれぞれ２つずつ設定し、例えば、パネル温度が高い方の低温しきい値（３０℃）以上であって低い方の高温しきい値（６０℃）未満を常温とし、パネル温度が高い方の低温しきい値（３０℃）未満かつ低い方の低温しきい値（１０℃）以上のとき、およびパネル温度が低い方の高温しきい値（６０℃）以上かつ高い方の高温しきい値（７０℃）未満のときには、所定のサブフィールド（第７ＳＦ〜第１０ＳＦ）における所定の放電セル（（ｎ／２＋１）行目〜ｎ行目の放電セル）において書込み周期を１．４μｓｅｃとし、パネル温度が低い方の低温しきい値（１０℃）未満のとき、およびパネル温度が高い方の高温しきい値（７０℃）以上のときには、所定のサブフィールド（第７ＳＦ〜第１０ＳＦ）における所定の放電セル（（ｎ／２＋１）行目〜ｎ行目の放電セル）において書込み周期を１．５μｓｅｃとする構成としてもよい。
【００９５】
また、本実施の形態においては、パネル温度の判定の際にヒステリシス特性を持たせる構成としてもよい。図１５は、本発明の実施の形態におけるパネル温度と高温しきい値との比較の一例を示す図である。上述したように、本実施の形態においては書込み周期の切換え時に、あわせて輝度倍率の切換えを行っている。したがって、図１５（ａ）に示すようにパネル温度が高温しきい値をはさんで頻繁に変動すると輝度倍率も頻繁に変動し明るさの変化が目立ちやすくなる。そこで、図１５（ｂ）に示すように、２つの高温しきい値ＴＨ１、ＴＨ２を設け、常温から高温への判断に用いる高温しきい値ＴＨ１を、高温から常温への判断に用いる高温しきい値ＴＨ２よりも高く設定してヒステリシス特性を持たせる構成としてもよい。こうすることで、輝度倍率の頻繁な切換えを防ぐことが可能となる。このヒステリシス特性は、常温から低温への判断に用いる低温しきい値ＴＬ１を、低温から常温への判断に用いる低温しきい値ＴＬ２よりも低く設定することで、低温の判断についても同様とすることが可能である。
【００９６】
また、本実施の形態では、（ｎ／２＋１）行目〜ｎ行目の放電セルにおいて書込み周期を切換える構成を説明したが、何らこの構成に限定されるものではなく、パネルの特性やプラズマディスプレイ装置の仕様等にあわせて、適宜最適な範囲に設定することが望ましい。あるいは、パネル温度に応じて書込み周期の切換えを開始する行を制御する構成としてもよい。
【００９７】
また、本実施の形態では、行電極を上から順に走査するいわゆるシングルスキャンの構成を例に説明を行ったが、例えば、パネルの表示面を上半分と下半分の２つの領域に分け、各領域における行電極をそれぞれ走査するいわゆるダブルスキャン、あるいはそれ以外のスキャン方式であっても、書込み期間の後半で書込み周期を延長させることで、上述と同様の効果を得ることができる。
【００９８】
なお、本実施の形態では、１つの温度センサ８１をパネル１０に対して離間して配置した構成を説明したが、例えば、複数の温度センサを用い、パネルの複数箇所の温度を検出しそれらの平均値を算出してパネル温度とする構成であってもかまわない。
【００９９】
なお、本実施の形態では、第１ＳＦを全セル初期化サブフィールドとし第２ＳＦ〜第１０ＳＦを選択初期化サブフィールドとするサブフィールド構成を例に挙げて説明を行ったが、必ずしもこのサブフィールド構成に限定されるものではなく、例えば全てのサブフィールドを選択初期化サブフィールドとする等、これ以外のサブフィールド構成であってもかまわない。
【０１００】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１０１】
本発明は、パネルの温度が低温または高温であっても、書込みに必要な電圧を増大させることなく安定した書込み放電を発生させることができ、プラズマディスプレイ装置およびパネルの駆動方法として有用である。
【図面の簡単な説明】
【０１０２】
【図１】本発明の実施の形態におけるパネルの構造を示す分解斜視図
【図２】同パネルの電極配列図
【図３】同パネルの各電極に印加する駆動電圧波形図
【図４】本発明の実施の形態における書込み期間の詳細を示した波形図
【図５】本発明の実施の形態におけるサブフィールド構成を示す図
【図６】本発明の実施の形態におけるパネル温度と書込み周期の関係を示す図
【図７】書込み周期を延長する放電セルの行を変化させた場合の、書込み周期と走査パルス電圧との関係を示す図
【図８】本発明の実施の形態におけるパネル温度と走査パルス電圧との関係を示す図
【図９】本発明の実施の形態における輝度倍率の制御の様子を示した概略図
【図１０】本発明の実施の形態におけるパネルを駆動するための駆動回路の回路ブロック図
【図１１】本発明の実施の形態における走査電極駆動回路の回路図
【図１２】本発明の実施の形態におけるデータ電極駆動回路の回路図
【図１３】本発明の実施の形態におけるパネル温度推定方法の他の例を示した図
【図１４】本発明の実施の形態におけるパネル温度判定方法の他の例を示した図
【図１５】本発明の実施の形態におけるパネル温度と高温しきい値との比較の一例を示す図
【符号の説明】
【０１０３】
１    プラズマディスプレイ装置
１０    パネル（プラズマディスプレイパネル）
２１    （ガラス製の）前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
５８    温度推定回路
８１    温度センサ
１００    維持パルス発生回路
１１０    電力回収回路
３００    初期化波形発生回路
３１０，３２０    ミラー積分回路
４００    走査パルス発生回路
４０１    制御回路
ＳＷ１，ＳＷ２，Ｓ３１，Ｓ３２，Ｑ１Ｄ１〜Ｑ１Ｄｍ，Ｑ２Ｄ１〜Ｑ２Ｄｍ    スイッチング素子
Ｄ３１    （逆流防止用の）ダイオード
Ｃ３１    コンデンサ
【図１】
2007333920.tif 000003
【図２】
2007333920.tif 000004
【図３】
2007333920.tif 000005
【図４】
2007333920.tif 000006
【図５】
2007333920.tif 000007
【図６】
2007333920.tif 000008
【図８】
2007333920.tif 000009
【図９】
2007333920.tif 000010
【図１０】
2007333920.tif 000011
【図１１】
2007333920.tif 000012
【図１２】
2007333920.tif 000013
【図１３】
2007333920.tif 000014
【図１４】
2007333920.tif 000015
【図１５】
2007333920.tif 000016
【図７】
2007333920.tif 000017